(57)【要約】【課題】内容物が溜まることがなく、復元することもなく、キャップとボトルの分別廃棄が可能な易廃棄プラスチックボトルを提供すること。【解決手段】口元（１１）が胴部（１２）より細く成形されたプラスチックボトル（１０）と、プラスチックボトルの胴部（１２）に装着された収縮フィルム（２０）からなる押し潰し可能なプラスチックボトルで、プラスチックボトルの胴部（１２）には周方向に蛇腹状又はスパイラル状の溝（１３）が設けられ、収縮フィルム（２０）の上方にはプラスチックボトルの口径より若干大きめの口径の穴（２１）が穿設され、この穴を挟むようにして２本の縦方向のミシン目線（ａ、ａ）が上縁より下方に向けて適宜の長さで設けられている。【選択図】図１
2004042950.tif 000002
【特許請求の範囲】
【請求項１】
口元が胴部より細く成形されたプラスチックボトルと、該プラスチックボトルの胴部に装着された収縮フィルムからなる押しつぶし可能なプラスチックボトルであって、
前記プラスチックボトルの胴部には周方向に蛇腹状又はスパイラル状の溝が設けられ、前記収縮フィルムの上方にはプラスチックボトルの口径より若干大きめの口径の穴が穿設され、該穴を挟むようにして２本の縦方向のミシン目線が上縁より下方に向けて適宜の長さで設けられていることを特徴とする易廃棄プラスチックボトル。
【請求項２】
前記プラスチックボトルの材質と収縮フィルムの材質とは同じであることを特徴とする、請求項１記載の易廃棄プラスチックボトル。
【発明の詳細な説明】
【０００１】
【発明の属する技術分野】
本発明は易廃棄プラスチックボトルに関し、特には押しつぶしても元に戻らないようにして減容化を図った易廃棄プラスチックボトルに関する。
【０００２】
【従来の技術】
近年、物流の省力化・合理化、あるいは消費者のライフスタイルの変化、販売ルートの多用化、などの理由からごみ化し易い包装容器が急増しており、プラスチックボトルもその一つである。
【０００３】
そしてこのようなごみ問題に対処できる環境にやさしい包装技術の開発も進んでおり、最も簡単、確実な方法の一つは使用後に押しつぶしたり、コンパクトにすることであり、このような方法をとることにより埋め立て処分でも嵩張らず、環境負荷が小さくてすむ。
【０００４】
プラスチックボトルの減容化の方法としては、▲１▼胴部が蛇腹形状に成形されたボトルを縦方向に圧縮して廃棄する。▲２▼ボトルをねじった状態で廃棄する。▲３▼縦方向に圧縮した状態でキャップをして復元を防いで廃棄する。等の方法が採られている。
【０００５】
しかしながら、▲１▼及び▲２▼の方法は時間の経過と共に元の容量に復元してしまう可能性が高く、▲３▼の方法は元の容量に復元する可能性は少ないがキャップと容器とを分別して廃棄することができない、等の問題点が残る方法である。
【０００６】
【発明が解決しようとする課題】
本発明は、プラスチックボトルを減容化して廃棄しようとする場合に発生する以上のような問題点を解決するためになされたもので、内容物が溜まることがなく、復元することもなく、キャップとボトルとの分別廃棄の可能な易廃棄プラスチックボトルを提供することを課題とする。
【０００７】
【課題を解決するための手段】
本発明の請求項１の発明は、口元が胴部より細く成形されたプラスチックボトルと、該プラスチックボトルの胴部に装着された収縮フィルムからなる押しつぶし可能なプラスチックボトルであって、前記プラスチックボトルの胴部には周方向に蛇腹状又はスパイラル状の溝が設けられ、前記収縮フィルムの上方にはプラスチックボトルの口径より若干大きめの口径の穴が穿設され、該穴を挟むようにして２本の縦方向のミシン目線が上縁より下方に向けて適宜の長さで設けられていることを特徴とする易廃棄プラスチックボトルである。
【０００８】
このように請求項１記載の発明によれば、プラスチックボトルの胴部には周方向に蛇腹状又はスパイラル状の溝が設けられ、前記収縮フィルムの上方にはプラスチックボトルの口径より若干大きめの口径の穴が穿設され、該穴を挟むようにして２本の縦方向のミシン目線が上縁より下方に向けて適宜の長さで設けられているので、捩じりながら下方に力を加えることでプラスチックボトルは容易に圧縮でき、同時に収縮フィルムの一部を上縁から縦方向のミシン目線に沿って短冊状に破断し、その短冊状フィルムの上部に設けられた穴を圧縮したプラスチックボトルの口元に係止することでプラスチックボトルの復元を防止できる。
【０００９】
なお、蛇腹状の溝を設けた場合には、内容物が蛇腹部分に溜まるなどして内容物を十分使い切ることが困難となる恐れがあるため、好ましくはスパイラル状の溝を設ける方が良い。
【００１０】
また、請求項２の発明は、請求項１の発明において、前記プラスチックボトルの材質と収縮フィルムの材質とは同じであることを特徴とする、易廃棄プラスチックボトルである。
【００１１】
このように請求項２記載の発明によれば、プラスチックボトルの材質と収縮フィルムの材質とを同じにすることにより、プラスチックボトルのキャップとプラスチックボトルとは分別廃棄できる。
【００１２】
【発明の実施の形態】
本発明の易廃棄プラスチックボトルを一実施形態に基づいて以下に詳細に説明する。
図１は本発明の易廃棄プラスチックボトルの一実施例を示す斜視説明図であり、図２は図１を押しつぶした状態の一実施例を示す斜視説明図である。
【００１３】
図１から明らかなように、本発明の易廃棄プラスチックボトルは、口元（１１）が胴部（１２）より細く成形されたプラスチックボトル（１０）と、該プラスチックボトルの胴部に装着された収縮フィルム（２０）からなる押しつぶし可能なプラスチックボトルであって、プラスチックボトルの胴部（１２）には周方向にスパイラル状の溝（１３）が設けられており、収縮フィルム（２０）の上方にはプラスチックボトル（１０）の口径より若干大きめの口径の穴（２１）が穿設され、該穴を挟むようにして２本の縦方向のミシン目線（ａ）が上縁より下方に向けて適宜の長さで設けられているものである。
【００１４】
プラスチックボトル（１０）は、樹脂量を削減した薄肉のプラスチックボトルで、ポリエチレン樹脂、ポリプロピレン樹脂、ポリエチレンテレフタレート樹脂等をブロー成形して得られる。
【００１５】
プラスチックボトルの胴部（１２）には、周方向に連続したスパイラル状の溝（１３）が設けられている。
さらには、スパイラル状の溝（１３）を連続して設けることにより、内容物が溝に入っても内容物は底部に移動して行き、内容物が溝に溜まることがない。
【００１６】
収縮フィルム（２０）は、プラスチックボトルの胴部（１２）に周方向に巻き付けられており、商品の説明等の印刷層が形成され、また、プラスチックボトルの胴部に付着する塵埃を保護している。
【００１７】
材質としては、塩化ビニール、ポリエチレンテレフタレート、ポリスチレン、ポリプロピレン等の一軸延伸フィルムが好ましく使用できる。
収縮フィルム（２０）とプラスチックボトル（１０）の材質を同じにすることにより、例えば、収縮フィルム、プラスチックボトルともにポリエチレンテレフタレート樹脂にすることにより、キャップとプラスチックボトルを分別廃棄できる。
【００１８】
収縮フィルム（２０）の上方には、プラスチックボトルの口元（１１）の口径より若干大きめの口径の穴（２１）が穿設されている。
そして、穴（２１）を挟むようにして収縮フィルム（２０）の上端縁より下方に向けて垂直方向に適宜の長さの２本のミシン目線（ａ、ａ）が入って短冊状の帯（２２）が形成されている。
【００１９】
ミシン目線の開始部分につまみやティアテープを設けておくと帯（２２）を引っ張る際に優位である。
【００２０】
このようにして作製した易廃棄プラスチックボトルを内容物を使い切るなどして廃棄するときには、例えば、図２に示すように、プラスチックボトル（１０）を捩じりながら下方に向けて力を加えることによりプラスチックボトルは簡単に圧縮できる。
【００２１】
同時に収縮フィルム（２０）の一部をミシン目線（ａ、ａ）に沿って破り短冊状の帯（２２）を形成させ、その短冊状の帯（２２）の上部に設けられた穴（２１）を圧縮して潰したしたプラスチックボトルの口元（１１）に差し込むことによりプラスチックボトル（１０）は帯（２２）により係止され、つぶしたプラスチックボトルが元に復元することはない。
【００２２】
【発明の効果】
上記のように、本発明の易廃棄プラスチックボトルを使用することにより、ごみとしての嵩張りを減少させることができるため、回収場所においてもスペースが少なくてすむ。
また、プラスチックボトルとキャップが分別廃棄できる。
【図面の簡単な説明】
【図１】本発明の易廃棄プラスチックボトルの一実施例を示す斜視説明図である。
【図２】図１の易廃棄プラスチックボトルを押しつぶした状態を示す斜視説明図である。
【符号の説明】
１‥‥易廃棄プラスチックボトル
１０‥‥プラスチックボトル
１１‥‥口元
１２‥‥胴部
１３‥‥スパイラル状の溝
２０‥‥収縮フィルム
２１‥‥穴
２２‥‥帯
ａ‥‥ミシン目線
【図１】
2004042950.tif 000003
【図２】
2004042950.tif 000004